(57)【要約】      （修正有）【課題】  高い研磨能力を保持しつつ、コンパクトな研磨装置を提供すること。【解決手段】  パチンコ機設置島の各パチンコ機から回収した玉を、揚送手段１が上方に揚送し、次に、下り研磨手段２が、パチンコ玉を螺旋溝で案内して下降させながら研磨部材で研磨する。【選択図】  図１
2006130145.tif 000002
【特許請求の範囲】
【請求項１】
パチンコ機設置島の各パチンコ機から回収した玉を上方に揚送し、次にパチンコ玉を螺旋溝で案内して下降させながら研磨部材で研磨するようにしたパチンコ玉の研磨装置であって、
床面に設置される本体ベースと、該本体ベースに垂設された外筒体と、該外筒体内に同軸状に回転自在に配設された中心軸体と、該中心軸体を回転駆動する回転駆動手段と、前記中心軸体の外周面に形成され前記パチンコ玉を一部が露出した状態で案内する螺旋溝と、該螺旋溝と対向して前記外筒体の内周面に着脱自在に配設され当該螺旋溝から露出するパチンコ玉に接触して研磨する研磨部材と、前記螺旋溝にパチンコ玉を導入する導入手段とを備え、
前記研磨部材は、装着する円筒面の曲率に応じた曲率を有する又は取り得るベース基板と、その研磨面側に設けた研磨素材とで構成されていることを特徴とするパチンコ玉の研磨装置。
【請求項２】
前記パチンコ機から回収した玉を上方に揚送する手段は、無端ベルトと研磨布との間に玉を挟み、その無端ベルトの回転によって玉を上方に転動させながら揚送および研磨を行う手段であることを特徴とした請求項１記載の研磨装置。
【請求項３】
前記パチンコ機から回収した玉を上方に揚送する手段は、無端プロフィール付きベルトにて下部取入口から玉を掬い上げる構造を有することを特徴とする請求項１記載の研磨装置。
【請求項４】
請求項１記載の研磨装置において、
前記玉を上部に揚送する手段と前記螺旋溝を備えた中心軸体との間に、異物除去機能を備える玉誘導通路を配設したことを特徴とする請求項１記載の研磨装置。
【請求項５】
前記中心軸体は、前記回転駆動手段より容易に脱着できる構造としたことを特徴とする請求項１記載のパチンコ玉の揚送研磨装置。
【請求項６】
前記外筒体に、当該外筒体の中心軸に沿ったスリット穴を設けると共に、当該スリット穴にシート状の前記研磨部材を挿入した後当該研磨部材の未挿入部分を外筒体に固定するための係止部を当該外筒体の外面に設けたことを特徴とする請求項１記載の研磨装置。
【請求項７】
前記外筒体の内面に、前記研磨部材が係止される凸部を設けたことを特徴とする請求項１記載の研磨装置。
【請求項８】
前記研磨部材のベース基板は、合成樹脂製とし、平面状または円筒状の一体成型品としたことを特徴とする請求項１記載の研磨装置。
【請求項９】
前記研磨部材を構成する研磨素材は、不織布で構成されていることを特徴とした請求項１記載の研磨装置。
【請求項１０】
前記研磨素材は、払拭したパチンコ玉の付着物を収納する収納空間を形成するように繊維を植設して構成されていることを特長とした請求項１記載の研磨装置。
【請求項１１】
前記導入手段は、次の形態に構成したことを特徴とする請求項１記載の研磨装置。
(a)前記各螺旋溝の始点を中心軸体の回転軸又は回転軸付近に配置し、
(b)各螺旋溝は、当該回転軸又は回転軸付近から中心軸体の円周まで連続的に繋がっており、
(c)各螺旋溝の方向ベクトルは、当該回転軸又は回転軸付近から放射方向に出て、中心軸体の円周に接する方向まで連続的に方向を変えている形態。
【発明の詳細な説明】
【技術分野】
【０００１】
本発明は、パチンコ遊技機設置島内に設置される玉研磨機に関するものである。
【背景技術】
【０００２】
<研磨装置について>
【０００３】
パチンコホールのパチンコ遊技機設置島には、複数のパチンコ機が相対する様に設置され、設置島のほぼ中央部の上方に設けた上部補給タンクに玉を揚送するために、従来は、研磨機能と揚送機能とを兼ね備えた玉研磨揚送装置が下部補給タンクと上部補給タンクとの間に配置されていた。
【０００４】
従来、パチンコ玉などの遊技球をパチンコ島の下部から上部へ揚送・研磨する遊技球研磨揚送装置としては、２種類ある。
【０００５】
第１は、ペレット式（研磨流剤）である。これは、パイプ形状の移送筒に下部の取入口から遊技球と研磨材とを取入れ、それらを回転する螺旋体により管体内で攪拌・揚送・研磨させ、装置の上部から排出して、遊技球と研磨材とをスノコにより分離させそれぞれ循環する構造を採る。
【０００６】
第２は、布式（不織布研磨方式）である。これは、立設したフレームの下部に駆動ローラーを備えると共に、上部に従動ローラーを備え、両ローラーの間に無端輪状の揚送ベルトを掛けて張り、ローラーを回転させることによって揚送ベルトを周回させ、揚送ベルトの対面に帯状の研磨布を仮設し、揚送ベルトと研磨布との間で遊技球を挟持し遊技球を自転させることで研磨する構造を採る。
【０００７】
しかしながら、それぞれの研磨揚送装置には、次の問題があった。
【０００８】
ペレット式においては、研磨材および研磨屑が、パチンコ玉と確実に分離できないため、それらが玉循環経路に紛れ込んでパチンコ台の機能を阻害し、また、部品の磨耗を招くことがあった。また、研磨材の汚れを取るため定期的に洗浄作業を行う必要があった。更に、研磨材も磨耗するため定期的に全体的な入れ替え等の作業をしなければならなかった。これに加え、研磨時の騒音を伴うこと、島内設置スペースが大きくなること、研磨機本体の重量が重いこと等の不都合があった。
【０００９】
また、布式においては、研磨布の汚れによる研磨性能低下を防止するため、毎日布をセッティングする煩雑さがあった。更に、島内設置時もペレット式と同様に大きなスペースおよび重量を伴った。
【００１０】
したがって、両方式とも設置・搬入・メンテナンス時の遊技島内への研磨揚送装置の脱着には相当な労力を必要としている。
【００１１】
<布式研磨装置について>
【００１２】
上述のように、パチンコ玉の研磨装置としては、布式の研磨装置があった（例えば、特許文献１）。これはパチンコ玉を下部から上部へ揚送するベルトコンベア（揚送ベルト）と、研磨材となる布とを対向させ、当該布にパチンコ玉を擦りながら、ベルトコンベアがパチンコ玉を揚送することによって、パチンコ玉を研磨していた。この研磨装置は、パチンコ玉をパチンコ島の下部から上部まで揚送する揚送装置を兼ねており、このため、先のベルトコンベアと研磨材は、パチンコ島の下部から上部まで伸びていた。
【００１３】
しかし、従来の研磨装置は、玉研磨手段と揚送手段とを兼ねたベルトコンベア及び研磨材をパチンコ島の下部から上部まで配置する必要があったため、これらを内包する比較的太い角材がパチンコ島の下部から上部まで貫いており、その部分がパチンコ台を設置できないスペースとなる等、パチンコ島の省スペース化を妨げる要因となっていた。また、当該研磨装置は、パチンコ島の下部から上部まで貫いて設置されているため、その設置作業も、撤去作業も手間がかかり、また、メンテナンスの際も、研磨装置自体を容易に取り外すことはできなかったから、パチンコ島に設置された状態でメンテナンスを行う必要があり、作業がしずらかった。また、装置が大きいため、輸送も容易ではなかった。
【特許文献１】特開２００１−９１４２号公報
【発明の開示】
【発明が解決しようとする課題】
【００１４】
本発明は、かかる従来例の有する不都合を改善し、特に、高い研磨能力を保持しつつ、コンパクトな研磨装置を提供することを、その課題とする。
【課題を解決するための手段】
【００１５】
上記課題を解決するため、本発明は、パチンコ機設置島の各パチンコ機から回収した玉を上方に揚送し、次にパチンコ玉を螺旋溝で案内して下降させながら研磨部材で研磨するようにしたパチンコ玉の研磨装置を提供する。当該研磨装置は、床面に設置される本体ベースと、該本体ベースに垂設された外筒体と、該外筒体内に同軸状に回転自在に配設された中心軸体とを備える。また、該中心軸体を回転駆動する回転駆動手段と、中心軸体の外周面に形成されパチンコ玉を一部が露出した状態で案内する螺旋溝とを設ける。更に、該螺旋溝と対向して外筒体の内周面に着脱自在に配設され当該螺旋溝から露出するパチンコ玉に接触して研磨する研磨部材と、螺旋溝にパチンコ玉を導入する導入手段とを備える。このうち、研磨部材は、装着する円筒面の曲率に応じた曲率を有する又は取り得るベース基板と、その研磨面側に設けた研磨素材とで構成される。
【００１６】
パチンコ機から回収した玉を上方に揚送する手段は、無端ベルトと研磨布との間に玉を挟み、その無端ベルトの回転によって玉を上方に転動させながら揚送および研磨を行う手段としてもよい。
【００１７】
又は、パチンコ機から回収した玉を上方に揚送する手段は、無端プロフィール付きベルトにて下部取入口から玉を掬い上げる構造としてもよい。
【００１８】
また、上記の研磨装置において、玉を上部に揚送する手段と螺旋溝を備えた中心軸体との間に、異物除去機能を備える玉誘導通路を配設した構成としてもよい。
【００１９】
また、中心軸体は、回転駆動手段より容易に脱着できる構造としてもよい。
【００２０】
また、外筒体に、当該外筒体の中心軸に沿ったスリット穴を設けると共に、当該スリット穴にシート状の研磨部材を挿入した後当該研磨部材の未挿入部分を外筒体に固定するための係止部を当該外筒体の外面に設けた構成としてもよい。
【００２１】
又は、外筒体の内面に、研磨部材が係止される凸部を設けた構成としてもよい。
【００２２】
また、研磨部材のベース基板は、合成樹脂製とし、平面状または円筒状の一体成型品としてもよい。
【００２３】
また、研磨部材を構成する研磨素材は、不織布で構成されてもよい。
【００２４】
また、研磨素材は、払拭したパチンコ玉の付着物を収納する収納空間を形成するように繊維を植設して構成されてもよい。
【００２５】
また、導入手段は、次の形態に構成してもよい。即ち、(a)各螺旋溝の始点を中心軸体の回転軸又は回転軸付近に配置し、(b)各螺旋溝は、当該回転軸又は回転軸付近から中心軸体の円周まで連続的に繋がっており、(c)各螺旋溝の方向ベクトルは、当該回転軸又は回転軸付近から放射方向に出て、中心軸体の円周に接する方向まで連続的に方向を変えている形態である。
【００２６】
また、本発明と同等の効果を得られる構造として、中心軸体を固定し、相対的に外筒体を回転させる構造が考えられる。また、外筒体の内面に螺旋溝を設け、中心軸体の表面に研磨材を配設する構造が考えられる。即ち、
【００２７】
パチンコ機設置島の各パチンコ機から回収した玉を上方に揚送し、次にパチンコ玉を螺旋溝で案内して下降させながら研磨部材で研磨するようにしたパチンコ玉の揚送研磨装置であって、床面に設置される本体ベースと、該本体ベースに垂設された外筒体と、該外筒体内に同軸状に配設された中心軸体と、前記外筒体および中心軸体の何れか一方を回転駆動する回転駆動手段と、前記外筒体および中心軸体の何れか一方の対向円筒面に形成された前記パチンコ玉を一部が露出した状態で案内する螺旋溝と、他方の対向円筒面に着脱自在に装着された螺旋溝から露出するパチンコ玉に接触して研磨する研磨部材と、前記本体ベースに配設された前記螺旋溝にパチンコ玉を導入する導入手段とを備え、前記研磨部材は、装着する円筒面の曲率に応じた曲率を有するベース基板と、その研磨面側に形成した研磨素材とで構成されていることを特徴とするパチンコ玉の揚送研磨装置。
【発明の効果】
【００２８】
本発明によれば、研磨経路を螺旋状に設けたので、研磨能力を保持しながら、研磨装置をコンパクトに構成することができる。
【発明を実施するための最良の形態】
【００２９】
以下、本発明の一実施形態を図１乃至図４を参照しつつ説明する。
【００３０】
<装置の構造>
【００３１】
図１において、本発明の研磨装置は、パチンコ玉を下部から上部に揚送しながら研磨する上り研磨手段と１、この上り研磨手段により揚送されたパチンコ玉を逆に下降させながら研磨する下り研磨手段２とから成る。また、上り研磨手段の上部にある出口３から出たパチンコ玉を下り研磨手段の上部にある下り研磨手段の入口４に導く中継通路（玉誘導通路）５を備えている。
【００３２】
本実施形態において、上り研磨手段１は、従来の布研磨式の研磨装置を小型化したものである。布研磨式の研磨装置は、装置の上下方向に回転するベルトコンベアを備え、このベルトコンベアにより、パチンコ玉を下部から上部へと揚送するのであるが、その際に、当該ベルトコンベアの面に対向させた布製の研磨材との間にパチンコ玉を摩擦させ、これにより、パチンコ玉を揚送しながら同時に研磨を行うものである。そして、そのベルトコンベアによる揚送経路を短縮することによって、小型化を図ったものである。符号６は、上り研磨手段が外部からパチンコ玉を取り込む取込口である。
【００３３】
一方、下り研磨手段２は、上下方向に螺旋通路（図２を参照し後述する）を設け、この螺旋通路に沿ってパチンコ玉を下降させながら同時に研磨を行うものである。
【００３４】
研磨の構造は図２に示すようになっている。まず、中央部に円柱状の回転体（中心軸体）７を上下方向に立てて設ける。そして、この円柱状の回転体の円周に沿って上部から下部までの螺旋溝８を前記螺旋通路として設けるのであるが、この螺旋溝の深さは、パチンコ玉が回転体７の円周面より外側に食み出すように設定する。そして、この円柱状の回転体の外周を囲うようにシート状の研磨材（研磨部材）９ａ，９ｂを配置する。回転体７を囲う研磨材は、回転体７に接触せず、回転体の回転を妨げず、しかし、前記螺旋溝から食み出すパチンコ玉には接触し、パチンコ玉を研磨する。よって、回転体７を囲む研磨材は、回転体との間に僅かな隙間をもって配置される。研磨部材９ａ，９ｂは、回転体を囲う外筒体１１（図１において符号２が指している外殻）に沿って位置決めされる。符号１６は、下り研磨手段２により研磨されたパチンコ玉の出口である。
【００３５】
次に、図１の中継通路５から、下り研磨手段２に入ってくるパチンコ玉を螺旋溝８の入り口に導く構造が問題となる。まず、螺旋溝８は複数を設け、螺旋溝への入り口を螺旋溝の数に比例して増やすことによって、螺旋溝へパチンコ玉が入る確率を向上させている。これは同一形状の螺旋溝を回転体７の円周方向に位相をずらして設けることにより実現している。
【００３６】
また、中継通路５から下り研磨手段２に入ってきたパチンコ玉を各螺旋溝８に導きやすいように、回転体の上面の形状（導入手段）を工夫してあり、図２に示すように、各螺旋溝８の始点を回転体７の中心に位置する回転軸１２に一致させている。各螺旋溝８は、回転体中央の回転軸１２から当該回転体の円周まで滑らかに繋がっており、各螺旋溝８の方向ベクトルは回転体中央の回転軸１２から放射方向に出て、当該回転体の円周に接する方向まで滑らかに方向を変えている。このため、回転体の上面は一見プロペラのような外見を呈しているが、このプロペラのように見える各フィンの間に、各螺旋溝８の一部が存在している。各フィンの先端は、厚みが薄くなるように削いであり、なるべく玉を弾かないように工夫してある。
【００３７】
本実施形態において、回転体７の駆動と、上り研磨手段１におけるベルトコンベアの駆動は、同一のモーター（回転駆動手段１３）を駆動源とし、このモーターの回転を所定構造のギヤに伝達することにより、上り研磨手段のベルトコンベアと、下り研磨手段の回転体とに駆動力を伝達するようになっている。
【００３８】
<設置構造について>
【００３９】
本体ベース１４に複数のボール状のキャスター１５を固定し、床面に対しボールが突出するように配置している。移動時は、このボールが回転してキャスターとして機能するが、予めパチンコ島内の床部に設けた凹部にボールが嵌ると、これにより、パチンコ島内において本体ベース１４が位置決めされると共に固定される。よって、ワンタッチで研磨装置が位置決めされ固定される。パチンコ島から研磨装置を取り外すときは、パチンコ島の床部に設けられた凹部からボールを解放してやればよい。これにより、ボールはキャスターとして機能し、パチンコ島からの離脱が容易である。
【００４０】
<回転体の材質について>
【００４１】
回転体７の材質としては、例えばナイロンを採用できる。軽量で耐摩耗性があり、かつ、耐衝撃性に優れている材質である。
【００４２】
<研磨材の構造と材質について>
【００４３】
研磨材は、研磨素材の下地となるベース基板９ａと、当該ベース基板の一方の面を覆う研磨素材９ｂとにより構成される。研磨材のベース基板９ａは、合成樹脂製とし、平面状または円筒状の一体成型品が好ましい。円筒状の場合は外筒体１１の曲率に一致させる。また、研磨部材を構成する研磨素材９ｂは、好ましくは不織布で構成し、払拭したパチンコ玉の付着物を収納する収納空間を形成するように繊維を植設して構成する。
【００４４】
即ち、研磨素材には、繊維状にした耐摩耗性の樹脂を使用し、その繊維にて不織布の構造になっている。この構造により、研磨した汚れを内部に蓄積し、交換までの時間を長くできるように工夫している。ここで、研磨素材単体では柔軟性があり、その柔軟性により交換作業がしずらくなるため、合成を持たせる目的としてポリプロピレン樹脂のベース基板に貼り付けている。
【００４５】
<研磨材の位置決め>
【００４６】
研磨材を外筒体に設置する際の構造は２種類を考えている。
【００４７】
第１は、図３に示すように、外筒体１１に、当該外筒体の中心軸に沿ったスリット穴１７を設けると共に、当該スリット穴にシート状の研磨部材を挿入した後当該研磨部材の未挿入部分を外筒体１１に固定するための係止部を当該外筒体の外面に設けた構成である。係止部は、スリット穴１７に沿って外筒体１１に設けられた係止凸ガイド１８と、この係止凸ガイド１８の研磨部材との接触面に突設された係合ピンとで構成されており、研磨部材のＬ字端部に設けられた孔に、係合ピン１９が挿入されることにより、研磨部材の固定と位置決めがなされる。即ち、図３の（Ａ）→（Ｂ）→（Ｃ）と状態が変化する。
【００４８】
第２は、図４に示すように、外筒体１１の内面に、研磨部材が係止される凸部２１を設けた構成である。ベース基板９ａと研磨素材９ｂとからなる研磨部材を（Ａ）のように外筒体１１の内部に嵌め込むとき、研磨部材の切れ目と、外筒体内部の凸部２１との位置が一致するように調整する。こうして、研磨部材を嵌め込み（Ｂ）の状態になると、外筒体１１に対して研磨材が係止され、中心軸体の回転に抗して研磨材は止まり、これにより、パチンコ玉の研磨効率が向上する。ここで、ベース基板９ａよりも研磨素材９ｂを長めに設けておくと、凸部２１の部分も研磨素材９ｂによって覆うことができるので、研磨の隙間を埋めることができる。
【００４９】
<中継通路の異物除去機能>
【００５０】
中継通路５には、異物除去機能を設ける。中継通路５には、ビス、コーヒー、その他様々な異物が流れてくる。その一部には遊技者の悪戯も含まれる。そのため、中継通路に異物だけを落とすスノコ状部材を敷く。当該スノコを通って中継通路から落ちた異物は、異物ボックスを通ってパチンコ島の床に落ち、清掃時に回収される。
【００５１】
<回転体の脱着について>
【００５２】
回転体７は、回転駆動手段より容易に脱着できる構造となっている。駆動手段であるモーターの動力は所定のギヤを介して回転体中央に位置する回転軸を回転させる。例えば、この回転軸の直径方向に回転軸に沿ったガイドを突出させ、一方で回転体の底から中心軸の部分に回転軸及び前記ガイドと嵌合する溝を形成しておく。そして、当該回転体をガイドの位置を合わせて回転軸の上から被せ、回転軸を回転体内部に挿入することにより、回転体の設置および回転軸に対する位置決めと固定が行われる。逆に、回転軸に対して回転体を上方に抜き上げれば、回転軸から回転体が離脱する。このようにワンタッチで回転体の設置および取り外しができるようになっている。
【００５３】
<装置の寸法について>
【００５４】
好ましくは、研磨装置の縦寸法を、パチンコ島の腰板の高さに収まるように設定する。これにより、パチンコ島内への研磨装置の設置およびパチンコ島からの研磨装置の取り外しが容易になる。
【００５５】
<装置の動作とパチンコ玉の流れ>
【００５６】
パチンコ島内でパチンコ台にて使用されたパチンコ玉は、上り研磨手段１の下部にある玉入り口６に導かれる。上り研磨手段の内部では、モーターによりベルトコンベアが回転駆動されており、玉入り口から上り研磨手段に入ったパチンコ玉は、ベルトコンベアによって、上り研磨手段の上部に揚送され、この間に研磨材と擦れて一次研磨が行われる。研磨および揚送されたパチンコ玉は、上り研磨手段の玉出口３から吐き出され、中継通路５へと入る。
【００５７】
中継通路５は、断面コ字状のレールになっており、円弧状のレールを上り研磨手段１の出口３から下り研磨手段２の入り口４まで掛け渡すことによって設けられている。この円弧状のレールは、競輪のコースのようにすり鉢状に幾分傾斜しており、外周よりも内周が下がっている。
【００５８】
これにより、上り研磨手段から吐き出されたパチンコ玉は、その勢いを殺さずに速やかに下り研磨手段の入り口へと到達する。
【００５９】
下り研磨手段の内部では、前述した回転体７がモーターにより回転駆動されている。その回転方向は、螺旋溝８の回転体上面の部分が風を受ける方向に回転する。そこに、中継通路５を経たパチンコ球が入ると、回転体上面のプロペラ状の部分に落ち、螺旋溝８の回転体上面にある部分に接触する。当該螺旋溝に接触したパチンコ玉は、回転体７の回転に伴って、回転体の回転方向に押されると共に、遠心力を受けて回転体７の円周側に螺旋溝８を転がる。そして、各パチンコ玉は、螺旋溝８のうち回転体の円周部分に形成された部分へと導かれる。パチンコ玉が、回転体７の円周部分に入り込むと、回転体を囲った研磨素材９ｂと、螺旋溝８との間でパチンコ玉が摩擦され、研磨される。これと同時に、パチンコ玉は螺旋溝８に沿って、回転体７の下部へと落ちてゆく（このとき、回転体は回転しているから、螺旋溝全体も回転している）。パチンコ玉が螺旋溝８を通って回転体の下部まで落ちる速さには、パチンコ玉にかかる摩擦力、重力、回転体の回転速度が影響する。よって、これらを調整することによって、研磨能力とパチンコ玉の研磨にかかる時間を調整する。回転体の下部まで落ち、研磨されたパチンコ玉は、下り研磨手段の出口１６から排出される。
【００６０】
<本実施形態の効果・特徴>
【００６１】
本実施形態は、研磨機能と、揚送機能とを分離独立した構造であって、小型軽量の研磨装置は、パチンコ遊技機設置島の腰板部分に収納することができ、メンテナンス等で研磨装置の脱着を要する場合でも、パチンコ遊技機島からの脱着がワンタッチで行える。また、パチンコ島上部までの揚送リフトを揚送機能のみに特化できるので、当該揚送パイプを細く設定することが可能となり、パチンコ遊技機間に広いスペースを必要としない構造を実現できる。
【００６２】
また、本実施形態の研磨装置は、一つのモーター（駆動手段）に連結された第１研磨部（布研磨）と第２研磨部（螺旋研磨）との２段階研磨構造として、研磨効率を飛躍的に向上させている。そして、研磨能力を大幅にアップするため第２研磨部には、複数の螺旋溝を備えた回転体を配置し研磨距離（研磨時間）を長くし、同時に、小型・軽量・低騒音を実現した。
【００６３】
更に、従来に比べ、磨耗した研磨材の交換を容易にし、研磨材の流入を防止し、および研磨布の毎日のセット作業を不要にするため、全く新しい研磨カートリッジ式を採用した。即ち、研磨カートリッジ（研磨部材のシート）の脱着を容易にし、補修・交換をも容易にするように工夫した。
【００６４】
以上説明した本実施形態では、パチンコ玉の揚送手段として、上り研磨手段を備えたが、揚送段階での研磨は必ずしも必要はなく、上り研磨手段に代えて、研磨機能を省いた揚送手段を採用してもよい。
【産業上の利用可能性】
【００６５】
本発明によれば、研磨経路を螺旋状に設けたので、研磨能力を保持しながら、研磨装置をコンパクトに構成することができる。例えば、研磨装置の高さをパチンコ島の腰板の高さまでに抑えれば、パチンコ玉をパチンコ島の上部まで揚送するためのパイプには研磨手段を内蔵する必要が無いところ、揚送用のパイプの断面積を縮減することが可能となり、パチンコ台を設置できないスペースが削減され、スペースの有効利用に寄与する。また、研磨装置の高さをパチンコ島の腰板の高さまでに抑え、かつ、研磨装置をパチンコ島から簡単に取り外し可能とすることで、設置および取り外しの作業が容易となり、よって、メンテナンス作業も容易となる。また、研磨装置をコンパクトに構成することで、その輸送や搬入・搬出も容易となる。
【図面の簡単な説明】
【００６６】
【図１】本発明の一実施形態にかかる研磨装置の全体斜視図である。
【図２】図１の研磨装置に搭載される回転体の斜視図である。
【図３】外筒体に研磨部材を係止する第１の構造の説明図である。
【図４】外筒体に研磨部材係止する第２の構造の説明図である。
【符号の説明】
【００６７】
１  上り研磨手段
２  下り研磨手段
３  上り研磨手段の玉出口
４  下り研磨手段の玉入口
５  中継通路
６  上り研磨手段の玉入口
７  回転体
８  螺旋溝
９ａ  研磨材のベース基板
９ｂ  研磨材の研磨素材
１１  外筒体
１２  回転軸
１３  駆動手段
１４  本体ベース
１５  キャスター
１６  下り研磨手段の玉出口
１７  スリット穴
１８  係止凸ガイド
１９  係合ピン
２１  外筒体内部の凸部
【図１】
2006130145.tif 000003
【図２】
2006130145.tif 000004
【図３】
2006130145.tif 000005
【図４】
2006130145.tif 000006